(57)【要約】【課題】薬剤（噴霧消臭液）のミストを室内空間に満遍なく拡散させて室内空間や備品などの除菌消臭効果を向上させることができる可搬式噴霧消臭装置を提供すること。【解決手段】キャスタ１を下底部に備えた搬送可能な台車２と、前記台車上に装着されて水平方向に回転駆動される回転テーブル４と、前記回転テーブル上に搭載されることにより、回転テーブルの回転駆動に伴って送風方向が連続的に回動される送風機５と、薬剤を霧化させると共に、霧化された薬剤が前記送風機による送風に乗せられて拡散されるように、前記回転テーブル上に搭載された噴霧消臭ユニット６，７とが備えられる。【選択図】図１
2019129925.tif 000002
【特許請求の範囲】
【請求項１】
キャスタを下底部に備えた搬送可能な台車と、
前記台車上に装着されて水平方向に回転駆動される回転テーブルと、
前記回転テーブル上に搭載されることにより、回転テーブルの回転駆動に伴って送風方向が連続的に回動される送風機と、
薬剤を霧化させると共に、霧化された薬剤が前記送風機による送風に乗せられて拡散されるように、前記回転テーブル上に搭載された噴霧消臭ユニットと、
を備えたことを特徴とする可搬式噴霧消臭装置。
【請求項２】
前記回転テーブルには、第１噴霧消臭ユニットと第２噴霧消臭ユニットが搭載され、前記第１噴霧消臭ユニットは、超音波振動子の励振を受けて薬剤を霧化させる超音波噴霧装置により構成され、前記第２噴霧消臭ユニットは、薬剤を２流体噴霧ノズルで霧化させて静電荷を帯電させる静電２流体噴霧装置により構成されていることを特徴とする請求項１に記載の可搬式噴霧消臭装置。
【請求項３】
前記送風機による送風路に、光触媒の塗布体と光触媒に光を照射する活性化光源による空気浄化ユニットが配置されていることを特徴とする請求項２に記載の可搬式噴霧消臭装置。
【請求項４】
前記回転テーブルは、前記台車上に装着された回転駆動機構によって回転駆動を受けると共に、複数の転動子によって回転可能に支持されていることを特徴とする請求項１ないし３のいずれか１項に記載の可搬式噴霧消臭装置。
【請求項５】
前記送風機は、送風動作に伴って送風方向の伏仰角が連続的に変更されることを特徴とする請求項１ないし４のいずれか１項に記載の可搬式噴霧消臭装置。
【請求項６】
前記第１噴霧消臭ユニットと第２噴霧消臭ユニット、および光触媒を備えた前記空気浄化ユニットを、時間経過と共に同時にもしくは個別に駆動動作させるコントローラを備えていることを特徴とする請求項３に記載の可搬式噴霧消臭装置。
【発明の詳細な説明】
【技術分野】
【０００１】
この発明は、例えばホテルの客室などのように、不特定多数の者が宿泊もしくは滞在した室内空間において好適に利用することができ、除菌消臭液をミスト化して噴霧することで、室内空間や備品などの除菌消臭を効率的に行うことができる可搬式噴霧消臭装置に関する。
【背景技術】
【０００２】
前記したホテルの客室は、内国人や外国人を問わずに宿泊や滞在に利用されるため、様々な文化や習慣などにしたがう独自の食べ物、お香、香水、たばこ、体臭等が残される場合が多い。したがって、通常は宿泊客の入れ替え時において、室内クリーニングが行われる。
【０００３】
しかし、室内に残された臭気が独特でかなり強い場合には、臭気がとれるまで時間がかかり、場合によっては、客室を空部屋にせざるを得ない等の問題が発生し、営業上において多大な負担が強いられることになる。そして、次に入室する宿泊客が国が異なるなど他文化の場合には、室内に残された臭気がたとえ僅かであっても、これを強く感じ、クレームになるなどホテルの評価を落とす結果を招くことにもなる。
【０００４】
そこで、ホテルやレストラン、劇場や船舶等の客室内の除菌消臭に適するものであるとして、可搬式の噴霧消臭装置が特許文献１に開示されている。
特許文献１に開示された噴霧消臭装置は、キャスタを備えたキャリアーカートに、除菌消臭液を貯留するタンクと共に、コンプレッサが搭載されており、装置にホースを介して噴霧ノズルが接続されている。
この噴霧ノズルはコンプレッサからの圧搾空気を受けて除菌消臭液を噴霧するように作用する。これにより、作業者はノズルを把持して任意の方向に向けて、除菌消臭液を噴霧することができる。
【０００５】
一方、キャスタを備えた台車上に、除菌消臭液をミスト化して噴霧することができる噴霧ユニットを搭載した可搬式の噴霧消臭装置が特許文献２に開示されている。
この特許文献２に開示された噴霧消臭装置によると、次亜塩素酸ソーダなどを含む除菌消臭液を貯留するタンクと共に、噴霧ユニットが台車上に搭載されており、噴霧ノズルより吐出されるミストが、台車の上部に配置されたケース内で外気と混合されて、ケースの放出口より室内空間に放出できるように構成されている。
【先行技術文献】
【特許文献】
【０００６】
【特許文献１】特開２００１−９３３５号公報
【特許文献２】特開２０１１−２４８０４号公報
【発明の概要】
【発明が解決しようとする課題】
【０００７】
ところで、前記した特許文献１に開示された噴霧消臭装置によると、装置に接続されたホース先端部に取り付けられた噴霧ノズルを作業者が把持し、室内空間の任意の方向に向けて除菌消臭液を噴霧するものである。このために、噴霧消臭作業中において常に人手を要するものとなり、噴霧作業が人為的になされるために噴霧にばらつきや偏りが生じ易いという問題を有している。
【０００８】
また、特許文献２に開示された噴霧消臭装置は、台車の上部に配置されたケース内で、噴霧ノズルからのミストが外気と混合されて、ケースのミスト放出口より室内空間内に放出されるように構成される。これはミストによって室内空間を濡らすのを避けるために、いわゆるドライフォッグ（乾いた霧）状態として、室内空間に放出することを目的とするものである。これによると、ケースに備えたミスト放出口が向かう特定の方向にミストが放出され易く、室内空間に対するミストの拡散効果は、十分とは言えない。
【０００９】
この発明は前記した従来の噴霧消臭装置の問題点を解消しようとするものであり、この発明が解決しようとする主要な課題は、薬剤としての噴霧消臭液のミストを室内空間に満遍なく拡散させて室内空間や備品に対する除菌消臭効果を向上させることができる可搬式噴霧消臭装置を提供する点にある。
加えて、室内空気に含まれる比較的高濃度の臭気に対して有効に作用する第１の噴霧消臭ユニット、ならびに壁面、床面、天井面やソファなどの室内備品に付着する臭気に対して有効に作用する第２の噴霧消臭ユニットを個別に備えることで、相乗的に除菌消臭効果を向上させた可搬式噴霧消臭装置を提供しようとするものである。
【課題を解決するための手段】
【００１０】
前記した課題を解決するためになされたこの発明に係る可搬式噴霧消臭装置は、キャスタを下底部に備えた搬送可能な台車と、前記台車上に装着されて水平方向に回転駆動される回転テーブルと、前記回転テーブル上に搭載されることにより、回転テーブルの回転駆動に伴って送風方向が連続的に回動される送風機と、薬剤を霧化させると共に、霧化された薬剤が前記送風機による送風に乗せられて拡散されるように、前記回転テーブル上に搭載された噴霧消臭ユニットとを備えたことを特徴とする。
【００１１】
この場合、好ましくは前記回転テーブルには、第１噴霧消臭ユニットと第２噴霧消臭ユニットが搭載され、前記第１噴霧消臭ユニットは、超音波振動子の励振を受けて薬剤を霧化させる超音波噴霧装置により構成され、前記第２噴霧消臭ユニットは、薬剤を２流体噴霧ノズルで霧化させて静電荷を帯電させる静電２流体噴霧装置により構成される。
【００１２】
さらに好ましい形態においては、前記送風機による送風路に、光触媒の塗布体と光触媒に光を照射する活性化光源による空気浄化ユニットが配置される。
一方、前記回転テーブルは、前記台車上に装着された回転駆動機構によって回転駆動を受けると共に、複数の転動子によって回転可能に支持された構成が採用される。
【００１３】
また、前記送風機は、送風動作に伴って送風方向の伏仰角が連続的に変更されることが望ましい。
加えて、前記第１噴霧消臭ユニットと第２噴霧消臭ユニット、および光触媒を備えた前記空気浄化ユニットを、時間経過と共に同時にもしくは個別に駆動動作させるコントローラを備えていることが望ましい。
【発明の効果】
【００１４】
前記した可搬式噴霧消臭装置によると、キャスタ付の搬送可能な台車上に、水平方向に回転駆動される回転テーブルが装着され、この回転テーブル上に搭載されることで、送風方向が連続的に回動される送風機と、薬剤を霧化（ミスト化）して噴霧する噴霧消臭ユニットが備えられる。したがって、噴霧消臭ユニットによって霧化されて噴霧される薬剤を、前記送風機による送風に乗せて室内空間に満遍なく拡散させることができる。これにより、むらのない消臭効果の高い噴霧消臭装置を提供することがてきる。
【００１５】
加えて、回転テーブルに搭載される噴霧消臭ユニットとして、超音波噴霧装置および静電２流体噴霧装置を備えることで、室内空気に対しての消臭、ならびに壁面、床面、天井面やソファなどの室内備品に付着する臭気に対する消臭に、それぞれ効果的に寄与する噴霧消臭装置を提供することができる。
さらに、前記送風機による送風路に、光触媒を用いた空気浄化装置を加えることで、薬剤としての消臭液の噴霧による室内備品の濡れ等の問題を軽減させると共に、室内空気の臭い成分をさらに効果的に分解させることを可能にした噴霧消臭装置が提供される。
【図面の簡単な説明】
【００１６】
【図１】この発明に係る可搬式噴霧消臭装置の第１実施形態の正面図である。
【図２】同じく側面図である。
【図３】同じく平面図である。
【図４】台車に搭載された回転テーブルを一部を透視図で示した正面図である。
【図５】同じく側面図である。
【図６】同じく平面図である。
【図７】回転テーブルに搭載された噴霧消臭装置を含む回路ブロック図である。
【図８】回転テーブルに搭載された静電２流体噴霧装置の一例を示し、（Ａ）は正面図、（Ｂ）は側面図である。
【図９】この発明に係る可搬式噴霧消臭装置の第２実施形態の正面図である。
【図１０】同じく側面図である。
【図１１】噴霧消臭装置の運転切替え動作の一例を示したタイムチャートである。
【発明を実施するための形態】
【００１７】
この発明に係る可搬式噴霧消臭装置について、図に示す実施の形態に基づいて説明する。なお以下に示す各図においては、同一もしくは相当する部分を同一符号で示しているが、一部の図面においては紙面の都合により、代表的な部分に符号を付けて、その詳細な構成についてはその他の図面に付けた符号を引用して説明することもある。
【００１８】
図１〜図３は、第１実施形態の全体構成を示しており、この可搬式噴霧消臭装置は、前後左右に４つのキャスタ１を下底部に備えた搬送可能な台車２をベースにして、この台車２上に搭載された回転駆動ユニット３により、低速度で水平方向に回転駆動される回転テーブル４が備えられている。
なお、前記台車２の端部にはハンドル２ａが、台車２に対して鉛直方向に樹立して取り付けられており、したがってこのハンドル２ａを利用することで、前記台車２に搭載された噴霧消臭装置を搬送することができる。そして、ハンドル２ａはたとえば噴霧消臭装置が稼働するときには、破線で示すように水平方向に倒すことができるように構成されている。
【００１９】
前記回転テーブル４上には回転テーブル４の回転駆動に伴って送風方向が連続的に周方向に回動される送風機（サーキュレータ）５が搭載されており、この送風機５の上部には、第１噴霧消臭ユニットとしての超音波噴霧装置６および第２噴霧消臭ユニットとしての静電２流体噴霧装置７が、それぞれ搭載されている。
【００２０】
前記回転テーブル４を低速度で回転駆動する回転駆動ユニット３の詳細な構成が、図４〜図６に示されている。
この回転駆動ユニット３には、たとえばアルミ板をコ字状に折り曲げると共に、その両脚部の先端を外向きに折り曲げることで、前記台車２への定着部３ｂを形成した台座部３ａが備えられる。この台座部３ａの折り曲げ中央部の裏面には、図５に示されているように円板状の支持板３ｃを介して軸受け部材３ｄが取り付けられており、前記支持板３ｃの下側に複数の支柱を介してモーター支持板３ｅが取り付けられている。
【００２１】
前記モーター支持板３ｅに取り付けられたモーター３ｆは、ＤＣギアードモーターにより構成されており、このギアードモーターの駆動軸には小歯車（ピニオン）３ｇが取り付けられている。また、前記軸受け部材３ｄによって支軸されるテーブル駆動軸３ｈには、大歯車（平歯車）３ｉが前記小歯車（ピニオン）３ｇに噛み合うようにして取り付けられている。したがって、ギアードモーター３ｆによる減速された回転駆動力は、小歯車（ピニオン）３ｇと、大歯車（平歯車）３ｉによりさらに減速されて、テーブル駆動軸３ｈに伝達される。
【００２２】
図６に示すように、前記テーブル駆動軸３ｈにおける台座部３ａの上面への突出部には、１２０度間隔で水平軸が放射状に延設されたロータリー部材３ｊが取り付けられている。このロータリー部材３ｊの水平軸の各先端部が、回転テーブル４の裏面に連結されて、回転テーブル４をたとえば１回転／分程度の低速度で回転駆動するように作用する。
また、台座部３ａの上面には、ロータリー部材３ｊを囲むようにして、周方向にほぼ等間隔に配置された柱状の８本の支持体３ｋが樹立されている。そして、これらの支持体３ｋの上部には、それぞれ転動子としてのボールローラ３ｍが回転可能に配置されている。
【００２３】
これにより、回転テーブル４の裏面は、周方向の８か所に配置されたボールローラ３ｍに支えられ、回転テーブル４は水平方向に円滑に回転駆動される。
なお、この例においては、前記転動子としてボールローラ３ｍを用いているが、これに代えて円柱状のローラや小径のキャスタなどの転動子を用いることもできる。
【００２４】
図４および図５に示されているように、前記台座部３ａとロータリー部材３ｊとの間には、台車２側から回転テーブル４側に対して通電させるためのロータリー通電装置が配置されている。
このロータリー通電装置は、一対の摺動端子３ｎと、この摺動端子３ｎが摺接するロータリー摺電板３ｐとにより構成されており、このロータリー通電装置を介して、回転テーブル４に搭載される後述する各電装装置に対して、電力が供給できるように構成されている。
また、図５に示すように前記台座部３ａ内には、前記回転テーブル４を駆動するモーター３ｆに電力を供給するスイッチング電源装置３ｑおよびモーター３ｆの駆動停止を制御する電源オン／オフ用のトグルスイッチ３ｒが備えられている。
【００２５】
図７は、前記した回転テーブル４上に搭載された送風機（サーキュレータ）５、第１噴霧消臭ユニットとしての超音波噴霧装置６、第２噴霧消臭ユニットとしての静電２流体噴霧装置７を含む電装装置の全体を示したブロック図である。
以下、図１〜図３と共に、図７に示す各ブロックの構成について説明する。図７に示すように商用１００Ｖ電源の供給を受ける電源コンセント１１により取り入れられるＡＣ電源は、前記した回転駆動ユニット３におけるスイッチング電源装置３ｑに供給されると共に、前記した摺動端子３ｎとロータリー摺電板３ｐを含むロータリー通電装置を介して、回転テーブル４上に搭載された前記送風機５およびコントローラ１２などに供給される。
【００２６】
前記送風機５は、図１〜図３に示すように円筒状に形成されたケース５ａの両側部が、アルミフレーム５ｂによって軸支されており、これにより送風方向の伏仰角が変更可能になされている。なお、この例においては図２に示すように、ケース５ａ内には送風ファン５ｃが配置されている。
そして、切替え操作によって、送風ファン５ｃによる送風方向の伏仰角（上下の首振り方向）が、送風と共に連続的に変更可能になるように構成されている。
したがって、送風ファン５ｃによる伏仰角の連続的な変更と共に、回転テーブル４の回転動作により、送風機５による送風方向は周方向および上下方向に満遍なく向けられることになる。
【００２７】
すでに説明したとおり、送風機５の上部には第１噴霧消臭ユニットとしての超音波噴霧装置６が搭載されている。この超音波噴霧装置６は図７に模式的に示しているように、たとえば透明な樹脂素材により形成された主薬剤タンク６ａを有し、この主薬剤タンク６ａの側壁に沿ってペットボトルによる補助薬剤タンク６ｂが取り付けられている。そして、補助薬剤タンク６ｂからバルブ６ｃを介して主薬剤タンク６ａ内に薬剤（消臭液）が注入されるように構成されている。
すなわち、前記バルブ６ｃの作用により、主薬剤タンク６ａ内の薬剤の液位は、常に一定となるように制御される。
【００２８】
前記主薬剤タンク６ａの下底部には、超音波霧化ユニット６ｄが配置されており、この超音波霧化ユニット６ｄには、図示せぬ超音波振動子が収容され、この超音波振動子の励振を受けて薬剤（消臭液）はタンク６ａ内で霧化される。
一方、主薬剤タンク６ａの上部には、吸気管６ｅおよび排出管６ｆが取り付けられている。前記吸気管６ｅは、主薬剤タンク６ａから鉛直に立ち上がると共に水平方向に折り曲げ形成されており、水平方向の折り曲げ部分の内部には、ＤＣモータにより回転駆動を受けるファン６ｇが備えられている。そして、ファン６ｇにより主薬剤タンク６ａ内に空気が取り込まれるように作用する。
【００２９】
前記排出管６ｆは、主薬剤タンク６ａから鉛直に立ち上がると共に、その上部は斜め上方に折り曲げ形成されており、この排出管６ｆの折り曲げ方向は、前記吸気管６ｅ折り曲げ方向とは、１８０度逆の方向となるように構成されている。
すなわち、前記排出管６ｆの折り曲げ方向は、図１〜図３に示すように送風機５による送風方向に向くように構成されている。これにより、超音波噴霧装置６内のファン６ｇにより、排出管６ｆから排出される霧化された薬剤は、送風機５による送風に乗って室内に効果的に拡散されることになる。
【００３０】
この場合、前記排出管６ｆの上部は斜め上方に向かって折り曲げられているが、この折り曲げ部分を上下に首振り可能となるように構成し、前記した送風ファン５ｃによる送風方向の伏仰角（上下の首振り方向）の動きに同期するように構成することで、霧化された薬剤をより効果的に、送風機５による送風に乗せることが可能となる。
なお、図７に示されているように、前記した超音波霧化ユニット６ｄには、コントローラ１２より動作電源が供給され、またファン６ｇを回転駆動させるＤＣモータには、１２Ｖ電源１３より直流電流が供給されるように構成されている。
【００３１】
図８は、第２噴霧消臭ユニットとしての静電２流体噴霧装置７の外観構成を示しており、これには偏平状になされた縦長の薬剤タンク７ａが備えられる。なお、符号７ｂは薬剤タンク７ａに設けられた薬剤（消臭液）注入口を閉塞するキャップを示している。
前記薬剤タンク７ａの上部には、Ｌ字状に折り曲げられた金属板７ｃが樹立されており、この金属板７ｃを利用して、その上下に２流体ノズル７ｄとフロート室７ｆが取り付けられている。また２流体ノズル７ｅの先端部（ノズル口）を囲むようにしてリング状の電極７ｅが配置されている。
【００３２】
静電２流体噴霧装置７には、図７に模式的に示しているように薬剤タンク７ａ内の薬剤（消臭液）を吸い上げるチューブポンプ７ｇが備えられ、薬剤はチューブポンプ７ｇによって、その上部のフロート室７ｆに送られる。また、フロート室７ｆには溢水管７ｈが、フロート室７ｆの底部を貫通して設けられており、溢水管７ｈの下端部は前記薬剤タンク７ａ内に位置している。
【００３３】
したがって、チューブポンプ７ｇによってフロート室７ｆに送られる薬剤のオーバーフロー分は、溢水管７ｈを介して薬剤タンク７ａに戻され、フロート室７ｆにおける薬剤の液位は、常に一定となるように制御される。
なお、図７に示すように前記チューブポンプ７ｇは、前記した１２Ｖ電源１３からの直流電流を受けて動作するように構成されている。
【００３４】
前記フロート室７ｆの上部に設けられた２流体ノズル７ｄには、エアコンプレッサ７ｉにより得られる圧搾エアが、エアフィルタ７ｊを介して供給される。なお、図７に示すようにエアコンプレッサ７ｉと２流体ノズル７ｄとの間には、２流体ノズル７ｄに供給するエア量を制御するコントローラバルブ７ｍが接続されている。
また、２流体ノズル７ｄには、コントローラバルブ７ｎを介してフロート室７ｆから薬剤が供給されるように構成されており、したがって圧搾エアを受ける２流体ノズル７ｄからは、薬剤が霧化された状態で噴霧される。
【００３５】
一方、２流体ノズル７ｄによって霧化された薬剤は、リング状の電極７ｅによって静電荷が帯電された状態で噴霧される。すなわち、リング状の電極７ｅにはコントローラ１２によって制御を受ける直流高圧電源１４からの正（プラス）電圧が印加される。またフロート室７ｆに貯留される薬剤（消臭液）には、直流高圧電源１４からの負（マイナス）電圧が印加される。
そして、前記した静電２流体噴霧装置７における２流体ノズル７ｄからの薬剤の噴霧方向は、図１〜図３に示すように送風機５による送風方向に向くように構成されている。これにより、静電２流体噴霧装置７からの霧化された薬剤は、送風機５による送風に乗って効果的に拡散されることになる。
【００３６】
そして、２流体ノズル７ｄから噴霧されるミストは正（プラス）電圧が印加された電極７ｅを通過するときに、負（マイナス）に帯電されて噴霧されることになり、これはたとえば壁面、床面、天井面などの各面や、ソファなどの室内備品に対して効果的に吸着され、これらに付着する臭気に対して有効に作用するものとなる。
【００３７】
この例においては超音波噴霧装置６および静電２流体噴霧装置７には、それぞれ同一の薬剤（消臭液）が用いられる。
一例として、超振動攪拌と電気分解で作成された水、すなわちウルトラファインバブル（ナノバブル）入りの電解次亜塩素酸水を含む薬剤を好適に利用することができる。
前記薬剤には、直径が１μｍ以下の小気泡が含まれており、この小気泡は臭い物質に吸着され易く、バブルの量が多いほど吸着する量が増えるために、消臭効果を一層高めることができる。
なお、前記薬剤は消臭効果を向上させる点で好ましい一例であり、必要に応じて他の薬剤を用いることができることは勿論である。また、超音波噴霧装置６と静電２流体噴霧装置７には、それぞれに適した異なる薬剤を利用することもできる。
【００３８】
図９および図１０は、この発明に係る可搬式噴霧消臭装置の第２実施形態の全体構成を示している。この第２実施形態においては、第１実施形態の構成に加え、光触媒を用いた空気浄化ユニット８が備えられている。
なお、図９および図１０は、すでに説明した第１実施形態における図１および図２に対応するものであり、図１および図２に示す各部に相当する部分を、それぞれ同一符号で示している。したがって、その詳細な説明は省略する。
【００３９】
この第２実施形態に備えられる空気浄化ユニットは、送風機（サーキュレータ）５の前側の送風路に沿って取り付けられ、光触媒を利用した空気浄化ユニット８を構成している。この空気浄化ユニット８は円筒状ケース８ａ内に収容されており、この円筒状ケース８ａは、送風機５のケース５ａとほぼ同一の寸法径に形成されて、送風機ケース５ａの前方に取り付けられている。
そして、図１０に示すように円筒状ケース８ａ内における送風機５に近い位置の中央部には、光触媒に光を照射する活性化光源８ｂが配置されており、この光源８ｂを囲むようにして、円筒状に成形された光触媒塗布体８ｃが配置されている。
【００４０】
一方、この実施形態において用いられる送風機（サーキュレータ）５は、ケース５ａ内に送風ファン（図示せず。）を収容し、ケース５ａの前面側に円弧状に施された空気吹き出し溝５ｅから、円筒状ケース８ａ内に空気を吹き込む構成が採用されている。
したがって、円筒状ケース８ａから吹き出される空気（風）は、光触媒により除菌消臭されることになり、この空気浄化ユニットは、乾式の空気浄化装置として機能することになる。
【００４１】
以上説明したこの発明に係る可搬式噴霧消臭装置においては、前記したコントローラ１２を覆うケースの上面に、図示せぬ操作パネルが配置されており、この操作パネル上において、たとえば次に示す第１〜第３の稼働モードが選択できるように構成されている。
第１モード：第１噴霧消臭ユニット（超音波噴霧装置）のみの動作
第２モード：第２噴霧消臭ユニット（静電２流体噴霧装置）のみの動作
第３モード：第１噴霧消臭ユニットから第２噴霧消臭ユニットへの自動切替え動作
【００４２】
図１１は、光触媒を利用する空気浄化装置８を備えた第２実施形態において、前記第３モードを選択した場合において、前記コントローラ１２によってなされる制御動作（運転切替え動作）の一例を示している。
これは１サイクルが２０分で終了するように制御される。すなわち、稼働開始と同時に光触媒を備えた空気浄化装置８、送風機（サーキュレータ）５および回転テーブル４が動作して、これらの動作は２０分継続する。
そして、稼働開始と同時に超音波噴霧装置６が動作して１０分経過後にその動作は停止される。これと同時に静電２流体噴霧装置７が動作して、これは２分経過後にその動作が停止される。そして、残りの８分間は光触媒による乾式の空気浄化装置８が稼働することになる。
【００４３】
このように、噴霧消臭装置のシーケンス制御をコントローラ１２にプログラムしておくことで、前記した１サイクルの消臭工程を人手を要することなく自動的に実行することが可能となる。
そして、前記したコントローラ１２によるシーケンス制御は、一般的なホテルの客室の消臭作業において、基本的には１サイクル実行されるが、消臭作業者の判断により必要に応じて２サイクル以上実行されることになる。
【００４４】
以上説明したこの発明に係る可搬式噴霧消臭装置については、冒頭において特にホテルの客室での利用の必要性について説明しているが、この可搬式噴霧消臭装置はホテルの客室の消臭作業以外に、レストランや劇場、航空機や船舶などの客室、事務所や倉庫などを含むあらゆる室内空間や室内備品に対する除菌消臭作業に利用可能である。
そして、いずれの場所における利用においても、前記した発明の効果の欄に記載した作用効果を得ることができる。
【符号の説明】
【００４５】
１    キャスタ
２    台車
２ａ  ハンドル
３    回転駆動ユニット
３ａ  台座部
３ｂ  定着部
３ｃ  支持板
３ｄ  軸受け部材
３ｅ  モーター支持板
３ｆ  モーター
３ｇ  小歯車（ピニオン）
３ｈ  軸体
３ｉ  大歯車（平歯車）
３ｊ  ロータリー部材
３ｋ  ホルダー
３ｍ  転動子（ボールローラ）
３ｎ  摺動端子（ロータリー通電装置）
３ｐ  ロータリー摺電板（ロータリー通電装置）
３ｑ  スイッチング電源装置
３ｒ  トグルスイッチ
４    回転テーブル
５    送風機（サーキュレータ）
５ａ  送風機ケース
５ｂ  アルミフレーム
５ｃ  送風ファン
５ｅ  送風スリット
６    第１噴霧消臭ユニット（超音波噴霧装置）
６ａ  主薬剤タンク
６ｂ  補助薬剤タンク
６ｃ  バルブ
６ｄ  超音波霧化ユニット
６ｅ  吸気管
６ｆ  排出管
６ｇ  ファン
７    第２噴霧消臭ユニット（静電２流体噴霧装置）
７ａ  薬剤タンク
７ｂ  キャップ
７ｃ  金属板
７ｄ  ２流体ノズル
７ｅ  電極
７ｆ  フロート室
７ｇ  チューブポンプ
７ｈ  溢水管
７ｉ  エアコンプレッサ
７ｊ  エアフィルタ
７ｍ  コントローラバルブ
７ｎ  コントローラバルブ
８    空気浄化ユニット（乾式空気浄化装置）
８ａ  円筒状ケース
８ｂ  活性化光源
８ｃ  光触媒塗布体
１１  電源コンセント
１２  コントローラ
１３  １２Ｖ電源
１４  直流高圧電源
【図１】
2019129925.tif 000003
【図２】
2019129925.tif 000004
【図３】
2019129925.tif 000005
【図４】
2019129925.tif 000006
【図５】
2019129925.tif 000007
【図６】
2019129925.tif 000008
【図７】
2019129925.tif 000009
【図８】
2019129925.tif 000010
【図９】
2019129925.tif 000011
【図１０】
2019129925.tif 000012
【図１１】
2019129925.tif 000013